(57)【要約】【課題】湯循環加熱釜からの給湯配管及び戻湯配管がねじ込みタイプかたけのこ挿入タイプのいずれの接続配管タイプであっても接続継手を取り替えるだけで、迅速容易に一人で作業できるようにした浴槽湯口装置を提供する。【解決手段】湯口本体２０と、後端部３１１の外周面にＯリング３０１１を嵌着し、中間部に後記鍔付ナット４０の鍔部４１１に係合するリング状突条３１２を形成し、先端部３１に多段のたけのこ状ホース接続部又は管用ねじ接続部を形成した内挿管３０と、内周面に給湯口２２のおねじ部２２１又は戻湯口２３のおねじ部２３１に螺合するめねじ４１２を螺刻したナット部４１の先端に断面リング状の鍔部４１１を形成した鍔付ナット４０とを備えた一対の湯口継手１００とからなり、前記一対の湯口継手１００の各後端部３１１を給湯口２２及び戻湯口２３に挿入して、給湯配管及び戻湯配管との接続を各鍔付ナット４０による手締め螺合で締結できるようにしたもの。【選択図】        図１−１
2009168259.tif 000002
【特許請求の範囲】
【請求項１】
内部に給湯流路を形成した内筒部２０１と、戻湯流路を形成した外筒部２０２とを設けた湯循環筒２１と、前記湯循環筒２１の前面に形成した、浴槽孔にパッキンを介して密着できるようにしたフランジ部１２１と、前記湯循環筒２１の後端に形成し、内筒部２０１に連通すると共に、外周におねじ部２２１を螺刻した給湯口２２と、前記湯循環筒２１の後端に形成し、外筒部２０２に連通すると共に、外周におねじ部２３１を螺刻した戻湯口２３とを備えた湯口本体２０と、後端部３１１の外周面にＯリング３０１１を嵌着し、中間部に後記鍔付ナット４０の鍔部４１１に係合するリング状突条３１２を形成し、先端部３１に多段のたけのこ状ホース接続部を形成した内挿管３０と、内周面に給湯口２２のおねじ部２２１又は戻湯口２３のおねじ部２３１に螺合するめねじ４１２を螺刻したナット部４１の先端に断面リング状の鍔部４１１を形成した鍔付ナット４０とを備えた一対の湯口継手１００とからなり、前記一対の湯口継手１００の各後端部３１１を湯口本体２０の給湯口２２及び戻湯口２３に挿入して、給湯配管及び戻湯配管との接続を各鍔付ナット４０による手締め螺合で締結できるようにしたことを特徴とする浴槽湯口装置。
【請求項２】
一対の湯口継手１００Ｂが、後端部３１１Ｂの外周面にＯリング３０１１Ｂを嵌着し、中間部に後記鍔付ナット４０の鍔部４１１に係合するリング状突条３１２Ｂを形成し、先端部３１Ｂに管用ねじ接続部を形成した内挿管３０Ｂと、内周面に給湯口２２のおねじ部２２１又は戻湯口２３のおねじ部２３１に螺合するめねじ４１２を螺刻したナット部４１の先端に断面リング状の鍔部４１１を形成した鍔付ナット４０とを備えてなり、前記一対の湯口継手１００Ｂの各後端部３１１Ｂを湯口本体２０の給湯口２２及び戻湯口２３に挿入して、給湯配管及び戻湯配管との接続を各鍔付ナット４０による手締め螺合で締結できるようにしたことを特徴とする請求項１記載の浴槽湯口装置。
【請求項３】
内部に給湯流路を形成した内筒部２０１Ｂと、戻湯流路を形成した外筒部２０２Ｂとを設けた湯循環筒２１Ｂと、前記湯循環筒２１Ｂの前面に形成した、浴槽孔にパッキンを介して密着できるようにしたフランジ部１２１Ｂと、内筒部２０１Ｂに連通する前記湯循環筒２１Ｂの後面の立管２０１１Ｂの下端の外周におねじ部２２１Ｂを螺刻した給湯口２２Ｂと、外筒部２０２Ｂに連通する前記湯循環筒２１Ｂの立管２０２１Ｂの下端の外周におねじ部２３１Ｂを螺刻した戻湯口２３Ｂとを備えた湯口本体２０Ｂと、後端部３１１の外周面にＯリング３０１１を嵌着し、中間部に後記鍔付ナット４０の鍔部４１１に係合するリング状突条３１２を形成し、先端部３１に多段のたけのこ状ホース接続部を形成した内挿管３０と、内周面に給湯口２２Ｂのおねじ部２２１Ｂ又は戻湯口２３Ｂのおねじ部２３１Ｂに螺合するめねじ４１２を螺刻したナット部４１の先端に断面リング状の鍔部４１１を形成した鍔付ナット４０とを備えた一対の湯口継手１００とからなり、前記一対の湯口継手１００の各後端部３１１を湯口本体２０Ｂの給湯口２２Ｂ及び戻湯口２３Ｂに挿入して、給湯配管及び戻湯配管との接続を各鍔付ナット４０による手締め螺合で締結できるようにしたことを特徴とする浴槽湯口装置。
【請求項４】
一対の湯口継手１００Ｂが、後端部３１１Ｂの外周面にＯリング３０１１Ｂを嵌着し、中間部に後記鍔付ナット４０の鍔部４１１に係合するリング状突条３１２Ｂを形成し、先端部３１Ｂに管用ねじ接続部を形成した内挿管３０Ｂと、内周面に給湯口２２Ｂのおねじ部２２１Ｂ又は戻湯口２３Ｂのおねじ部２３１Ｂに螺合するめねじ４１２を螺刻したナット部４１の先端に断面リング状の鍔部４１１を形成した鍔付ナット４０とを備えてなり、前記一対の湯口継手１００Ｂの各後端部３１１Ｂを湯口本体２０Ｂの給湯口２２Ｂ及び戻湯口２３Ｂに挿入して、給湯配管及び戻湯配管との接続を各鍔付ナット４０による手締め螺合で締結できるようにしたことを特徴とする請求項３記載の浴槽湯口装置。
【発明の詳細な説明】
【技術分野】
【０００１】
本発明は、湯循環釜からの給湯配管及び戻湯配管に接続する浴槽湯口装置に関する。
【背景技術】
【０００２】
従来、特開２００２−１８５４６号公報の図７及び図９に示すように、浴槽湯循環金具の給湯筒部２１Ａ又は２１Ｃ及び戻湯筒部２２Ａ又は２２Ｃが、おねじタイプか、たけのこタイプかにより、又は、特開２００２−２０２５２７号公報の図７及び図８に示すように、浴槽湯循環金具の給湯筒部２１Ａ又は２１Ｂ及び戻湯筒部２２Ａ又は２２Ｂが、おねじタイプか、たけのこタイプかにより、それぞれに対応する浴槽湯循環金具を製作していたため、大量のストックを余儀なくし、そのため、製作費用がかさみ、保管場所が必要となる欠点があった。
なお、おねじタイプの浴槽湯循環金具にたけのこ挿入タイプの配管を接続するために、本出願図面の図３に示すように、円環状パッキン３を挿入したナット１付たけのこ状継手管２を用いて接続できるようにしたものがあったが、器具として給湯筒部と戻湯筒部を近接配置せざるを得ないので、ナット螺着のためのスパナ操作がしにくく、スパナの締め具合によって漏洩しやすく、また、熱湯が通るのでパッキンの寿命が短い等の欠点があった。
そこで、本発明者は、給湯筒部及び戻湯筒部を除く浴槽湯循環金具（以下、浴槽湯口本体という。）を共通に製作して、給湯配管及び戻湯配管側がねじ込タイプか、たけのこ挿入タイプかによって、給湯筒部及び戻湯筒部の接続継手を取り替えるだけで、上記問題点を解決した。
その上、給湯筒部及び戻湯筒部に、給湯配管及び戻湯配管を接続したＯリング付のたけのこタイプ又はねじタイプの内挿管を挿入し、鍔付ナットで手締め螺合するだけで、漏洩なく、確実に暗い場所でも、給湯配管及び戻湯配管の接続継手の締結ができるようにして上記問題点を解決することに成功した。
【特許文献１】登録実用新案第３０１１２２５号公報
【特許文献２】特開２００２−１８５４６号公報
【特許文献３】特開２００２−２０２５２７号公報
【発明の開示】
【発明が解決しようとする課題】
【０００３】
本発明は、浴槽湯口本体の種類を減らし、ストックを減らすことができるようにした浴槽湯口装置を提供する。
また、本発明は、共通する浴槽湯口本体に接続する湯口継手を、おねじタイプか、たけのこタイプかどちらの配管接続もできると共に、手締め螺合で容易に締結ができるようにした浴槽湯口装置を提供するものである。
【課題を解決するための手段】
【０００４】
本発明浴槽湯口装置は、上記課題を達成するため、図示するように、請求項１の発明は、内部に給湯流路を形成した内筒部２０１と、戻湯流路を形成した外筒部２０２とを設けた湯循環筒２１と、前記湯循環筒２１の前面に形成した、浴槽孔にパッキンを介して密着できるようにしたフランジ部１２１と、前記湯循環筒２１の後端に形成し、内筒部２０１に連通すると共に、外周におねじ部２２１を螺刻した給湯口２２と、前記湯循環筒２１の後端に形成し、外筒部２０２に連通すると共に、外周におねじ部２３１を螺刻した戻湯口２３とを備えた湯口本体２０と、後端部３１１の外周面にＯリング３０１１を嵌着し、中間部に後記鍔付ナット４０の鍔部４１１に係合するリング状突条３１２を形成し、先端部３１に多段のたけのこ状ホース接続部を形成した内挿管３０と、内周面に給湯口２２のおねじ部２２１又は戻湯口２３のおねじ部２３１に螺合するめねじ４１２を螺刻したナット部４１の先端に断面リング状の鍔部４１１を形成した鍔付ナット４０とを備えた一対の湯口継手１００とからなり、前記一対の湯口継手１００の各後端部３１１を湯口本体２０の給湯口２２及び戻湯口２３に挿入して、給湯配管及び戻湯配管との接続を各鍔付ナット４０による手締め螺合で締結できるようにしたものである。
また、本発明の浴槽湯口装置は、上記課題を達成するため、図示するように、請求項２の発明は、一対の湯口継手１００Ｂが、後端部３１１Ｂの外周面にＯリング３０１１Ｂを嵌着し、中間部に後記鍔付ナット４０の鍔部４１１に係合するリング状突条３１２Ｂを形成し、先端部３１Ｂに管用ねじ接続部を形成した内挿管３０Ｂと、内周面に給湯口２２のおねじ部２２１又は戻湯口２３のおねじ部２３１に螺合するめねじ４１２を螺刻したナット部４１の先端に断面リング状の鍔部４１１を形成した鍔付ナット４０とを備えてなり、前記一対の湯口継手１００Ｂの各後端部３１１Ｂを湯口本体２０の給湯口２２及び戻湯口２３に挿入して、給湯配管及び戻湯配管との接続を各鍔付ナット４０による手締め螺合で締結できるようにしたものである。
また、本発明の浴槽湯口装置は、上記課題を達成するため、図示するように、請求項３の発明は、内部に給湯流路を形成した内筒部２０１Ｂと、戻湯流路を形成した外筒部２０２Ｂとを設けた湯循環筒２１Ｂと、前記湯循環筒２１Ｂの前面に形成した、浴槽孔にパッキンを介して密着できるようにしたフランジ部１２１Ｂと、内筒部２０１Ｂに連通する前記湯循環筒２１Ｂの後面の立管２０１１Ｂの下端の外周におねじ部２２１Ｂを螺刻した給湯口２２Ｂと、外筒部２０２Ｂに連通する前記湯循環筒２１Ｂの立管２０２１Ｂの下端の外周におねじ部２３１Ｂを螺刻した戻湯口２３Ｂとを備えた湯口本体２０Ｂと、後端部３１１の外周面にＯリング３０１１を嵌着し、中間部に後記鍔付ナット４０の鍔部４１１に係合するリング状突条３１２を形成し、先端部３１に多段のたけのこ状ホース接続部を形成した内挿管３０と、内周面に給湯口２２Ｂのおねじ部２２１Ｂ又は戻湯口２３Ｂのおねじ部２３１Ｂに螺合するめねじ４１２を螺刻したナット部４１の先端に断面リング状の鍔部４１１を形成した鍔付ナット４０とを備えた一対の湯口継手１００とからなり、前記一対の湯口継手１００の各後端部３１１を湯口本体２０Ｂの給湯口２２Ｂ及び戻湯口２３Ｂに挿入して、給湯配管及び戻湯配管との接続を各鍔付ナット４０による手締め螺合で締結できるようにしたものである。
また、本発明の浴槽湯口装置は、上記課題を達成するため、図示するように、請求項４の発明は、一対の湯口継手１００Ｂが、後端部３１１Ｂの外周面にＯリング３０１１Ｂを嵌着し、中間部に後記鍔付ナット４０の鍔部４１１に係合するリング状突条３１２Ｂを形成し、先端部３１Ｂに管用ねじ接続部を形成した内挿管３０Ｂと、内周面に給湯口２２Ｂのおねじ部２２１Ｂ又は戻湯口２３Ｂのおねじ部２３１Ｂに螺合するめねじ４１２を螺刻したナット部４１の先端に断面リング状の鍔部４１１を形成した鍔付ナット４０とを備えてなり、前記一対の湯口継手１００Ｂの各後端部３１１Ｂを湯口本体２０Ｂの給湯口２２Ｂ及び戻湯口２３Ｂに挿入して、給湯配管及び戻湯配管との接続を各鍔付ナット４０による手締め螺合で締結できるようにしたものである。
本発明において、湯口本体は、従来の直接配管されていた給湯筒部及び戻湯筒部を除いて、湯口継手を接続するための共通本体を形成したものである。
また、本発明において、湯口継手は、配管がホースタイプかナットタイプかにより、たけのこ状継手又はねじ込み継手とに分かれる。
また、本発明において、鍔付ナットは、ナット部の内周面の螺刻面より内径の小さい鍔部を螺入口と反対方向の出口にもつもので、円筒状の丸ナット型のほか、外形が六角形の六角ナット型のものが含まれ、また、金属製のほか合成樹脂製のものが含まれる。
【発明の効果】
【０００５】
本発明浴槽湯口装置は、ねじ込タイプやたけのこ挿入タイプにより配管接続が異なっても、同じ湯口本体で継手を取り替えるだけで、共通使用できるため、製作費用が安価につき、ストックの量を減らすことができる。  また、本発明浴槽湯口装置は、作業現場へ幾種類もの湯口本体を持って行かなくても、必要な継手を持って行けばよく、運搬する部品数、重量が減少できる。
また、本発明浴槽湯口装置は、暗く狭い場所でも、手探りでも、手締め螺合で継手ナットの締結ができるため、迅速容易に作業ができることになる。
【発明を実施するための最良の形態】
【０００６】
本発明実施例１は、図１−１に示されている。  また、本発明実施例２は、図１−２に示されている。  また、本発明実施例３は、図２−１、図２−２及び図２−３に示されている。  また、本発明実施例４は、図２−１、図２−４及び図２−５に示されている。  
【実施例１】
【０００７】
本発明実施例１が図１−１に示されている。
本発明実施例の浴槽湯口装置は、湯口本体２０と、湯口継手１００とを備えている。
湯口本体２０は、内部に給湯流路の内筒部２０１と戻湯流路の外筒部２０２を設けた湯循環筒２１と、前記湯循環筒２１の前面に形成した、浴槽孔にパッキンを介して密着できるようにしたフランジ部１２１と、前記湯循環筒２１の後端に形成し、内筒部２０１に連通すると共に、外周におねじ部２２１を螺刻した給湯口２２と、前記湯循環筒２１の後端に形成し、外筒部２０２に連通すると共に、外周におねじ部２３１を螺刻した戻湯口２３とを備えている。
湯口継手１００は、内挿管３０と、鍔付ナット４０とからなる。
内挿管３０は、後端部３１１と先端部３１と中間部のリング状突条３１２とからなる。
後端部３１１は、断面円筒形で２条のＯリング３０１１が嵌着されていて、湯口本体２０の給湯口２２及び戻湯口２３に挿入されて密着して漏洩防止できるように形成されている。
先端部３１は、内挿管３０の先端に形成されており、内部に給湯口内側２２１１へ連通する穴３０１及び戻湯口内側２３１１へ連通する穴３０１がそれぞれ明けられており、外周部は多段のたけのこ状ホース接続部を形成されている。
リング状突条３１２は、内挿管３０の中間部外周に円環状に立設されている。
鍔付ナット４０は、断面円筒状のナット部４１と鍔部４１１とからなり、ナット部４１の外周面にはすべり止めローレットが形成されており、鍔部４１１は、ナット部４１の先端に内周の螺刻面より内径の小さいリング状に形成されている。
ナット部４１の外周面は、六角形に形成された六角ナット型のものでもよい。
従って、湯口本体２０に、たけのこ挿入タイプの給湯配管及び戻湯配管を接続するときは、一対の内挿管３０の先端部３１から鍔付ナット４０のめねじ４１２を外嵌し、たけのこ状の先端部３１に、それぞれフレキシブルホースを接続したのち、鍔付ナット４０の鍔部４１１を内挿管３０のリング状突条３１２に係止して、各鍔付ナット４０を湯口本体２０の給湯口２２及び戻湯口２３に、スパナを使わず手締め螺合すれば接続できることになる。
【実施例２】
【０００８】
本発明の実施例２が図１−２に示されている
本発明実施例の浴槽湯口装置は、湯口本体２０と、湯口継手１００Ｂとを備えている。
湯口本体２０の構成は、本発明実施例１と同じであるので詳細説明は省略する。
湯口継手１００Ｂは、内挿管３０Ｂと、鍔付ナット４０とからなる。
内挿管３０Ｂは、後端部３１１Ｂと先端部３１Ｂとリング状突条３１２Ｂとからなる。
後端部３１１Ｂは、断面円筒形で２条のＯリング３０１１Ｂが嵌着されていて、湯口本体２０の給湯口２２及び戻湯口２３に挿入されて密着して漏洩防止できるように形成されている。
先端部３１Ｂは、内挿管３０Ｂの先端に形成されており、内部に給湯口内側２２１１へ連通する穴３０１Ｂ及び戻湯口内側２３１１へ連通する穴３０１Ｂが明けられており、外周部は管用おねじが螺刻されている。  なお、３１３Ｂはスパナ掴みである。
リング状突条３１２Ｂは、内挿管３０Ｂのほぼ中間部外周に円環状に立設されている。
鍔付ナット４０は、断面円筒状のナット部４１と鍔部４１１とからなり、ナット部４１の外周面にはすべり止めローレットが形成されており、鍔部４１１は、ナット部４１の先端に内周の螺刻面より内径の小さいリング状に形成されている。
ナット部４１の外周面は、六角形に形成された六角ナット型のものでもよい。
従って、湯口本体２０に、ねじタイプの給湯配管及び戻湯配管を接続するときは、一対の内挿管３０Ｂの先端部３１Ｂから鍔付ナット４０のめねじ４１２を外嵌し、先端部３１Ｂに、それぞれねじ込みナットをつけた配管を接続したのち、鍔付ナット４０の鍔部４１１を内挿管３０Ｂのリング状突条３１２Ｂに係止して、各鍔付ナット４０を湯口本体２０の給湯口２２及び戻湯口２３に、スパナを使わず手締め螺合すれば接続できることになる。
【実施例３】
【０００９】
本発明の実施例３が図２−１、図２−２及び図２−３に示されている。
本発明実施例の浴槽湯口装置は、湯口本体２０Ｂと、湯口継手１００とを備えている。
湯口本体２０Ｂは、内部に給湯流路の内筒部２０１Ｂと戻湯流路の外筒部２０２Ｂを設けた湯循環筒２１Ｂと、前記湯循環筒２１Ｂの前面に形成した、浴槽孔にパッキンを介して密着させるようにしたフランジ部１２１Ｂと、内筒部２０１Ｂに連通する前記湯循環筒２１Ｂの後端の立管２０１１Ｂの下端の外周におねじ部２２１Ｂを螺刻した給湯口２２Ｂと、外筒部２０２Ｂに連通する前記湯循環筒２１Ｂの後端の立管２０２１Ｂの下端の外周におねじ部２３１Ｂを螺刻した戻湯口２３とを備えている。
湯口継手１００は、内挿管３０と、鍔付ナット４０とからなる。
内挿管３０と、鍔付ナット４０の構成は、本発明実施例１と同じであるので、詳細説明は省略する。
従って、湯口本体２０Ｂに、たけのこ挿入タイプの給湯配管及び戻湯配管を接続するときは、一対の内挿管３０の先端部３１から鍔付ナット４０のめねじ４１２を外嵌し、たけのこ状の先端部３１に、それぞれフレキシブルホースを接続したのち、鍔付ナット４０の鍔部４１１を内挿管３０のリング状突条３１２に係止して、各鍔付ナット４０を湯口本体２０Ｂの給湯口２２Ｂ及び戻湯口２３Ｂに、スパナを使わず手締め螺合すれば接続できることになる。
【実施例４】
【００１０】
本発明の実施例４が図２−１、図２−４及び図２−５に示されている。
本発明実施例の浴槽湯口装置は、湯口本体２０Ｂと、湯口継手１００Ｂとを備えている。
湯口本体２０Ｂの構成は、本発明実施例３と同じであるので詳細説明は省略する。
湯口継手１００Ｂは、内挿管３０Ｂと、鍔付ナット４０とからなる。
内挿管３０Ｂと、鍔付ナット４０の構成は、本発明実施例２と同じであるので、詳細説明は省略する。
従って、湯口本体２０Ｂに、ねじタイプの給湯配管及び戻湯配管を接続するときは、一対の内挿管３０Ｂの先端部３１Ｂから鍔付ナット４０のめねじ４１２を外嵌し、先端部３１Ｂに、それぞれねじ込みナットをつけた配管を接続したのち、鍔付ナット４０の鍔部４１１を内挿管３０Ｂのリング状突条３１２Ｂに係止して、各鍔付ナット４０を湯口本体２０Ｂの給湯口２２Ｂ及び戻湯口２３Ｂに、スパナを使わず手締め螺合すれば接続できることになる。
【産業上の利用可能性】
【００１１】
本発明の浴槽湯口装置は、構造簡単で安価に量産できる。
【図面の簡単な説明】
【００１２】
【図１−１】本発明実施例の浴槽湯口装置の使用状態説明図である。
【図１−２】別の本発明実施例の浴槽湯口装置の使用状態説明図である。
【図２−１】さらに別の本発明実施例の浴槽湯口装置の湯口本体の背面図である。
【図２−２】図２−１のＡ−Ａ線断面の湯口本体に湯口継手を使用したときの使用状態説明図である。
【図２−３】図２−１のＢ−Ｂ線断面の湯口本体に図２−２の湯口継手を使用したときの使用状態説明図である。
【図２−４】図２−１のＡ−Ａ線断面の湯口本体に別の湯口継手を使用したときの使用状態説明図である。
【図２−５】図２−１のＢ−Ｂ線断面の湯口本体に図２−４の湯口継手を使用したときの使用状態説明図である。
【図３】従来例のナット付たけのこ状継手管
【符号の説明】
【００１３】
２０、２０Ｂ                  湯口本体
２１、２１Ｂ                  湯循環筒
２２、２２Ｂ                  給湯口
２３、２３Ｂ                  戻湯口
１００、１００Ｂ              湯口継手
１２１、１２１Ｂ              フランジ部
２０１、２０１Ｂ              内筒部
２０２、２０２Ｂ              外筒部
２０１１Ｂ、２０２１Ｂ        立管
２２１、２２１Ｂ              給湯口おねじ
２３１、２３１Ｂ              戻湯口おねじ
３０、３０Ｂ                  内挿管
３０１１、３０１１Ｂ          Ｏリング
３１、３１Ｂ                  内挿管先端部
３１１、３１１Ｂ              内挿管後端部
３１２、３１２Ｂ              リング状突条
４０                          鍔付ナット
４１                          ナット部
４１１                        鍔部
４１２                        めねじ
【図１−１】
2009168259.tif 000003
【図１−２】
2009168259.tif 000004
【図２−１】
2009168259.tif 000005
【図２−２】
2009168259.tif 000006
【図２−３】
2009168259.tif 000007
【図２−４】
2009168259.tif 000008
【図２−５】
2009168259.tif 000009
【図３】
2009168259.tif 000010